(57)【特許請求の範囲】
【請求項１】
建物躯体のパラペットの頂部に固定される固定部、及びこの固定部の両端部からパラペットの両側壁面の外側に垂下する係止片が設けられた笠木ホルダと、
この笠木ホルダとともにパラペット頂部の長手方向に併設され、パラペット頂部の外側寄に配置される固定部を有し、この固定部の端部から垂下し、上記笠木ホルダの係止片の長さより長い係止片が形成された断面略Ｌ形の第一受金具と、
上記笠木ホルダ及び第一受金具の上部に取付けられる長尺状の笠木と、
上記第一受金具の係止片の端部に一端部を係止する一方、上記笠木の上端部に他端部を固定した第二受金具と、
この第二受金具の前部に被着される長尺状の化粧笠木と、を有することを特徴とする化粧笠木の取付構造。
【請求項２】
上記第一受金具の係止片の途中に凹状の係止溝部を設け、
上記笠木の両端部を上記笠木ホルダの各係止片に弾性係着するとともに、この笠木の外側の端部を上記係止溝部に係着したことを特徴とする請求項１に記載の化粧笠木の取付構造。
【発明の詳細な説明】
【０００１】
【発明の属する技術分野】
本発明は、化粧笠木の取付構造に関する。
【０００２】
【従来の技術】
一般に、建物のパラペットの外観デザインを向上させるため、笠木の外側に化粧笠木を取り付ける場合が多く、笠木とホルダとを介して化粧笠木が取り付けられる。
【０００３】
例えば、特開平９−４１６００号公報には、図３に示す化粧笠木及びホルダーが開示されている。これは、パラペット５６の上部にホルダー５７を固定し、このホルダー５７の外壁側に笠木５８の係合端部５９及び化粧材６０の係止端部６７を設けて、笠木５８を取付け、さらにこの笠木５８の上端部とホルダー５７の係止端部６７との間に、化粧材６０を係着するものである。
【０００４】
また、特開平８−１０９７２１号公報には図４に示すように、建物の立上がり躯体６１の上部に第１ホルダ６２を取付けてこれに笠木６３を弾性係着し、立上がり躯体６１の外壁側に支持具６４を取付け、この支持具６４に第２ホルダー６５を取付け、これに外装笠木６６を弾性係着した外装笠木装置が開示されている。
【０００５】
【発明が解決しようとする課題】
さて、上記ホルダー５７は、笠木５８の係合端部５９と化粧材６０の係止端部６７とが一体成形されていることから、異なる幅のパラペットに対処するためには、サイズの異なるホルダー５７を何種類も用意しておく必要がある。また、化粧材６０を装着しない構造に備えて、笠木５８のみを装着するホルダーと、さらに化粧材６０を装着可能な上記ホルダー５７との２種類のホルダーを用意する必要がある。
【０００６】
また、上記支持具６４を用い、これに第２ホルダー６５を取付けて外装笠木６６を係着する装置は、立上がり躯体６１の外側壁面に支持具６４を固定する構造であるため、パラペットの壁面を破損し、また施工における足場の確保する必要があるなど、取付けがしづらく施工性に欠けるという問題がある。
【０００７】
本発明は、上記問題点に鑑みてなされたものであり、取付け作業が容易に行えて施工性に優れ、また経済性にも優れた化粧笠木の取付構造を提供することを課題とする。
【０００８】
【課題を解決するための手段】
以上の技術的課題を解決するために、本発明に係る化粧笠木の取付構造は、図１に示すように、建物躯体のパラペット１の頂部に固定される固定部、及びこの固定部の両端部からパラペットの両側壁面の外側に垂下する係止片１２，１３が設けられた笠木ホルダ２と、この笠木ホルダとともにパラペット頂部の長手方向に併設され、パラペット頂部の外側寄に配置される固定部を有し、この固定部の端部から垂下し、上記笠木ホルダ２の係止片１２，１３の長さより長い係止片３３が形成された断面略Ｌ形の第一受金具４と、上記笠木ホルダ及び第一受金具の上部に取付けられる長尺状の笠木３と、上記第一受金具の係止片の端部に一端部を係止する一方、上記笠木の上端部に他端部を固定した第二受金具５と、この第二受金具の前部に被着される長尺状の化粧笠木６と、を有することを特徴とする。
【０００９】
また、本発明に係る化粧笠木の取付構造は、図１に示すように、上記第一受金具４の係止片の途中に凹状の係止溝部を設け、上記笠木３の両端部を上記笠木ホルダの各係止片に弾性係着するとともに、この笠木３の外側の端部を上記係止溝部に係着したことを特徴とする。
【００１０】
【発明の実施の形態】
以下、本発明に係る化粧笠木の取付構造の実施の形態を図面に基づいて説明する。図１は、上記化粧笠木の取付構造を示したものである。この取付構造は、建物躯体のパラペット１の頂部に笠木ホルダ２、及びこの笠木ホルダ２からパラペット１の長手方向に化粧笠木用の第一受金具４を並べて固定し、これらの上部に笠木３を係着し、さらに笠木３の上端部と第一受金具４の下端部との間に化粧笠木用の第二受金具５を取付け、これに化粧笠木６を被着したものである。上記笠木ホルダ２、笠木３、第一受金具４、第二受金具５及び化粧笠木６の材料は、何れもアルミニウム等の軽金属からなるが、ステンレス等の金属を用いれば強度を高めることができる。
【００１１】
上記笠木ホルダ２は、パラペット１の頂部に固定される固定部１１を有し、この固定部１１の両端部からパラペット１の両側壁面の外側に斜めに垂下する係止片１２，１３が形成され、固定部１１の中央部及び左右の部位の３箇所に、高さがパラペット１の内側に向けて順に低くなるＴ状の突条１４，１５，１６が、パラペット１の長手向に形成されている。また、固定部１１の中央から左右に寄った部位には、止着具の挿通用の長孔１７が左右に長く形成されている。
【００１２】
笠木３は、笠木ホルダ２に支持される天板部２１を有する長尺材であり、この天板部２１の外側の端部には雨水の止水のための凸条部２２が設けられ、天板部２１の両端部からは係止板部２３，２４が垂下し、これら係止板部２３，２４の下端部近傍の内面側には係止部２５，２６が横向きに突設されている。
【００１３】
第一受金具４は、パラペット１の頂部外寄りに固定される固定部３１を有し、この固定部３１の外側端部からパラペット１の外壁面と所定の間隔を隔てて垂下する係止片３３が形成された、断面Ｌ形の部材である。上記固定部３１の上部にはＴ状の突条３２がパラペット１の長手向に設けられ、上記係止片３３の途中には内側に凹状に窪んだ係止溝部３４が形成されている。また第一受金具４の固定部３１には、止着具の挿通用の長孔３５が左右に長く形成されている。
【００１４】
この第一受金具４におけるＴ状の突条３２は、上記笠木ホルダ２のＴ状の突条１４とは同一形状の構造とし、また第一受金具４の係止片３３に設けられた係止溝部３４は、笠木ホルダ２の係止片１３と同様に、笠木３の係止部２５を係着する構造としている。したがって、第一受金具４は、笠木ホルダ２を略２分割した外側部分に準じた形態とし、笠木３を支持係着して笠木ホルダ２の機能の一部を兼ね備えるものとしている。
【００１５】
第二受金具５は、断面半円状の曲片部４１を有し、この曲片部４１の凹面側中央部には、横向きの突出板４２の端部に上下向きに当接板４３が設けられた、支持部４４が形成されている。この曲片部４１の上縁部外面には、中央に孔４６が設けられた溝部４５が設けられ、上縁部内面には少し内寄りの部位に下方に突出するストッパ片４７が形成されている。曲片部４１の上縁部及び下縁部の端面４８，４９はそれぞれ垂直に形成され、曲片部４１の下縁部近傍の内面には高さの異なる突条によって係止溝部５０が形成されている。
【００１６】
化粧笠木６は、断面半円状の曲板部５１を有する長尺材であり、曲板部５１の上端部には下方に屈曲形成した係止板部５２が、また曲板部５１の下端部には上方に屈曲形成した係止板部５３がそれぞれ形成されている。
【００１７】
上記化粧笠木の取付構造の施工は、先ずパラペット１の頂部に適宜の間隔をおいて笠木ホルダ２を配置し、固定部１１の長孔１７にアンカーボルト１８等の止着具を挿通して、パラペット１の頂部に固定する。そして、これら笠木ホルダ２の間に、第一受金具４を固定する。この第一受金具４は、係止片３３をパラペット１の頂部から所定の間隔をおいて垂下させ、止着具を用いて固定部３１をパラペット１の頂部に固定する。
【００１８】
この状態で、笠木ホルダ２と第一受金具４とは、パラペット１の頂部に一部が同等の形態で併設されることになり、これに笠木３を被嵌する。笠木３の係止部２５，２６をそれぞれ笠木ホルダ２の係止片１２，１３の端部に弾性係着させるとともに、笠木３の係止部２５を第一受金具４の係止溝部３４の上部に弾性係着させる。この状態で、笠木ホルダ２の突条１４，１５，１６及び第一受金具４の突条３２は、笠木３の天板部２１に当接してこれを支持する。
【００１９】
次に、第二受金具５を笠木３と第一受金具４との間に取付ける。このとき、第二受金具５の下縁部の係止溝部５０を第一受金具４の係止片３３の先端部に係止させ、一方第二受金具５の上縁部を、笠木３の凸条部２２の上面に載置し、ストッパ片４７で位置決めした状態で溝部４５の孔４６にビス５５を挿通して笠木３に固定する。この際、第二受金具５の当接板４３が、第一受金具４の係止溝部３４に係止される笠木３の係止板部２３を第二受金具５の弾性力によって押圧し、併せて、支持部４４は第一受金具４の曲片部４１を支えて曲片部４１の変形を防止する。
【００２０】
次いで、化粧笠木６の弾性変形を利用し、化粧笠木６の係止板部５２，５３をそれぞれ、第二受金具５の上縁部及び下縁部の端面４８，４９に係着させる。そして化粧笠木６によって、笠木３及びパラペット１頂部の外部に面した部分が覆われる。
【００２１】
従って上記実施の形態によれば、パラペット１頂部に化粧笠木６を取付ける形態として、笠木３を取付けるための笠木ホルダ２には何ら手を加えず、新たに第一受金具４を笠木ホルダ２の隣に併設するという構造を採用している。このため、パラペット１の幅寸法が相違している場合でも、一の種類の第一受金具４を用意するのみで対応できるので、効率がよく経済的である。また、既存の笠木ホルダ２及び笠木３はそのまま使用でき、これに第一受金具４及び第二受金具５を加える構造であるため、単に部品の追加で化粧笠木の取付けが行えるので、既存の笠木取付け構造の部品がそのまま流用できる点でも、経済効果に寄与し、既存の笠木ホルダ２及び笠木３のみの笠木取付け構造との両立も可能でありこの点でも好都合である。
【００２２】
また、上記実施の形態に係る化粧笠木の施工では、第一受金具４をパラペット１の頂部に固定する構造であるから、作業負担の大きい第一受金具４及び笠木ホルダ２の固定作業がパラペット１の頂部に対してのみで行えるので、作業が容易であり施工性に優れる。加えて、第一受金具４をパラペットの頂部に固定し、その上部に設けた突条３２により笠木ホルダと同様に笠木を支持させて、笠木ホルダ２の機能を兼ね備える構造としたから、笠木ホルダ２を補強し、笠木及び化粧笠木を強固かつ確実に嵌合係着することができ、さらに、各種の笠木についても比較的容易に係着が可能であり、用途の幅が広い。
【００２３】
また、上記実施の形態では、第一受金具４の係止片３３の長さを笠木ホルダ２の係止片１２，１３の２〜３倍の長さとしているが、この第一受金具４の係止片３３の長さは必要に応じて変えることができ、このため、第一受金具４に間接的に取付けられる化粧笠木６の上下幅を幅広に形成することができ、建物の外観デザイン及び意匠性を向上させることができる。
【００２４】
【発明の効果】
以上説明したように、本発明に係る化粧笠木の取付構造によれば、笠木ホルダとともにパラペット頂部の長手方向に併設され、固定部の端部から垂下する係止片が形成された第一受金具と、これらの上部に取付けられる笠木と、第一受金具の係止片の端部に一端部を係止する一方、笠木の上端部に他端部を固定した第二受金具と、この第二受金具の前部に被着される長尺状の化粧笠木と、を有するものとしたから、パラペットの幅寸法にかかわりなく一の種類の第一受金具のみで対応できるので、効率がよく経済的であり、また第一受金具をパラペットの頂部に固定する構造であるから、取付け作業が容易であり施工性に優れるという効果を奏する。
【００２５】
本発明に係る化粧笠木の取付構造によれば、笠木ホルダに係止片を設ける一方、第一受金具に凹状の係止溝部を設け、笠木の両端部を笠木ホルダの各係止片に弾性係着するとともに、笠木の外側の端部を係止溝部に係着するものとしたから、笠木ホルダを補足補強することができ、笠木の支持係着も安定する。
【図面の簡単な説明】
【図１】本発明の実施の形態に係る化粧笠木の取付構造を示す分解斜視図である。
【図２】本発明の実施の形態に係る化粧笠木の取付構造の側面を示す図である。
【図３】従来例に係る化粧笠木及びホルダーを示す図である。
【図４】従来例に係る外装笠木装置を示す図である。
【符号の説明】
１  パラペット
２  笠木ホルダ
３  笠木
４  第一受金具
５  第二受金具
６  化粧笠木
【図１】
0003719899.tif 000002
【図２】
0003719899.tif 000003
【図３】
0003719899.tif 000004
【図４】
0003719899.tif 000005